(57)【要約】【課題】折畳紙を含む記録紙を収容する記録紙収容部を装置本体に入り込ませて配置した場合でも、折畳紙の擦れ音や引っ掛かりを抑制できるレコーダーを提供すること。【解決手段】記録紙収容部４００は、装置本体２００側に入り込んでおり、入り込み方向の最深部位置の天板４２０に、断面が上に凸の曲面４２１を形成されている。これにより、記録紙収容部４００を装置本体２００に深く入り込ませて配置した場合でも、折畳紙１の擦れ音や引っ掛かりを抑制できる。【選択図】図３
2020075464.tif 000002
【特許請求の範囲】
【請求項１】
少なくとも生体情報の取得部及び表示部を有する装置本体部と、
折畳紙を含む記録紙を収容する記録紙収容部及びサーマルヘッドを有するレコーダー部と、
を有する医療用測定装置であって、
前記記録紙収容部は、
前記装置本体部側に入り込んでおり、
入り込み方向の最深位置の天板に、断面が上に凸の曲面又は出口方向に傾斜した傾斜面が形成されている、
医療用測定装置。
【請求項２】
前記記録紙収容部は、
前記装置本体部に入り込んだ部分のうちの中間よりも奥側の少なくとも一部分における前記天板と前記折畳紙との距離が、出口位置における前記天板と前記折畳紙との距離よりも大きい、
請求項１に記載の医療用測定装置。
【請求項３】
前記記録紙収容部は、前記折畳紙を載置する傾斜部を有し、
前記傾斜部は、前記記録紙収容部の奥側から出口に行くほど高くされている、
請求項１又は２に記載の医療用測定装置。
【発明の詳細な説明】
【技術分野】
【０００１】
本発明は、レコーダーを有する医療用測定装置に関する。
【背景技術】
【０００２】
従来、例えば心電計においては、心電図の測定や表示を行う装置本体にレコーダーが一体に設けられ、測定結果を記録紙に記録できるようになされたものがある（例えば特許文献１参照）。心電計のレコーダー（以下、単にレコーダーと呼ぶ）には、通常、記録紙として折畳紙やロール紙等の連続紙が用いられている。また、心電計では、一般に装置の構成を簡単化・小型化するために、サーマルヘッドを用いた感熱記録方式が採用されている。
【先行技術文献】
【特許文献】
【０００３】
【特許文献１】特開２０１５−１１０４６７号公報
【発明の概要】
【発明が解決しようとする課題】
【０００４】
ところで、レコーダーを有する心電計等の医療用測定装置においては、検査室に設置して利用する以外に、例えば病室内のベッドサイド等の狭い場所に持ち運んで利用されることもあり、装置の平面サイズが小さいことが好ましい。
【０００５】
例えばレコーダーを有する心電計では、右側に増幅部や演算部、表示部等が設けられた装置本体部が配され、左側にレコーダーが配されることが多い。心電計では、決まった大きさの折畳紙やロール紙等の連続紙が用いられるので、装置の平面サイズは記録紙のサイズの影響を大きく受ける。
【０００６】
このような状況の下、装置の平面サイズを小さくする一つの方法として、装置本体部側に入り込むように記録紙収容部を配置することが考えられる。つまり、装置本体部の横に並べて記録紙収容部を配置したのでは、装置全体の横サイズは（装置本体＋用紙サイズ）以下とはなり得ないのに対して、装置本体部側に入り込むように記録紙収容部を配置すれば入り込ませた長さだけ横サイズを小さくできる。
【０００７】
しかしながら、入り込みの長さを大きくしていくと、印字時に折畳紙が記録紙収容部内で擦れやすくなり、擦れ音が発生しやすくなる。また、印字時に折畳紙が記録紙収容部内で引っ掛かりやすくもなる。
【０００８】
この問題は、記録紙収容部の高さ（厚み）を大きくすれば解決できるが、そうすると装置の高さ方向のサイズが大きくなるので、結局、装置の大型化を招くといった欠点がある。
【０００９】
本発明は、以上の点を考慮してなされたものであり、折畳紙を含む記録紙を収容する記録紙収容部を装置本体に入り込ませて配置した場合でも、折畳紙の擦れ音や引っ掛かりを抑制できるレコーダーを提供する。
【課題を解決するための手段】
【００１０】
本発明の医療用測定装置の一つの態様は、
少なくとも生体情報の取得部及び表示部を有する装置本体部と、
折畳紙を含む記録紙を収容する記録紙収容部及びサーマルヘッドを有するレコーダー部と、
を有する医療用測定装置であって、
前記記録紙収容部は、
前記装置本体部側に入り込んでおり、
入り込み方向の最深部位置の天板に、断面が上に凸の曲面又は出口方向に傾斜した傾斜面が形成されている。
【発明の効果】
【００１１】
本発明によれば、折畳紙を含む記録紙を収容する記録紙収容部を装置本体に入り込ませて配置した場合でも、折畳紙の擦れ音や引っ掛かりを抑制できる。
【図面の簡単な説明】
【００１２】
【図１】本実施の形態に係る心電計の上面図
【図２】開閉ケースが開状態となったときの心電計の上面図
【図３】図２のＡ−Ａ’断面図
【図４】印字時の折畳紙の搬送経路の説明に供する図
【図５】実施の形態の構成を採用した場合の折畳紙の動きを示す図
【図６】比較例の構成を採用した場合の折畳紙の動きを示す図
【発明を実施するための形態】
【００１３】
以下、本発明の実施の形態を、図面を参照して説明する。
【００１４】
＜心電計の全体構成＞
図１及び図２は、本発明の実施の形態に係る心電計１０の外観構成を示す図である。より具体的には、図１は開閉ケース１１０を閉じた状態を示す上面図であり、図２は開閉ケース１１０を開いた状態を示す上面図である。
【００１５】
心電計１０は、大きく分けて、レコーダー１００と装置本体２００とから構成されている。
【００１６】
装置本体２００には、表示部２１０及び操作部２２０等が設けられている。また、装置本体２００の内部には、演算や動作制御を行う制御部や、増幅部、心電用電極等を接続するためのインターフェース部等が設けられている。表示部２１０には、測定結果である心電図等が表示される。なお、測定結果である生体情報は、自装置で演算により取得してもよいし、他装置から受け取って取得してもよい。操作部２２０には、各種のキーや、電源スイッチ、スタート／ストップスイッチ等（図示せず）が設けられている。なお、本実施の形態の心電計１０は、表示部２１０がタッチパネル構成とされており、表示部２１０に各種設定画面や動作メニュー画面を表示し、これを用いて各種設定や動作指示を入力することもできる。
【００１７】
＜レコーダーの概略構成＞
図１から分かるように、レコーダー１００には、開ボタン１０１、排紙口１０２及び開閉ケース１１０が設けられている。心電図が記録された記録紙は排紙口１０２から排出される。
【００１８】
レコーダー１００は、ユーザーによって開ボタン１０１が押圧操作されると、開閉ケース１１０のロックが解除される。開閉ケース１１０は、ロックが解除された後にユーザーによって開方向に回転されると、図２に示すような開状態となる。
【００１９】
レコーダー１００には、サーマルヘッド１２０、プラテンローラー１３０、記録紙収容部４００等が設けられている。プラテンローラー１３０は、開閉ケース１１０の開端に取り付けられており、開閉ケース１１０が図１に示すような閉状態とされたときにサーマルヘッド１２０に当接し、図２に示すような開状態とされたときにサーマルヘッド１２０から離間する。
【００２０】
図１のように開閉ケース１１０が閉じた状態において、サーマルヘッド１２０とプラテンローラー１３０との間に下方向から折畳紙等の記録紙が進入し、記録紙はプラテンローラー１３０の回転によって上方向に紙送りされ、これと同時にサーマルヘッド１２０によって感熱記録が行われる。このようにして、折畳紙等の記録紙に心電図が記録される。
【００２１】
ここで、開閉ケース１１０は回転軸１１１によって回転自在に軸支されている。開閉ケース１１０は、記録紙収容部４００を閉塞する閉状態と記録紙収容部４００を露出する開状態とを取り得る。開閉ケース１１０は、手動にて回転軸１１１を回転中心として回転させることができるようになっている。開閉ケース１１０の開状態において、ユーザーは、記録紙収容部４００にロール紙や折畳紙等の記録紙の出し入れを行うことができる。
【００２２】
レコーダー１００内には一対のロール紙取付部３００が設けられている。ロール紙取付部３００は、心電計１００の前側及び後側にそれぞれ１つずつ設けられており、ロール紙を回転自在に保持する。
【００２３】
＜記録紙収容部＞
次に、本実施の形態の記録紙収容部４００について、詳しく説明する。
【００２４】
図３は、図２のＡ−Ａ’断面図である。図４は、記録紙収容部４００に折畳紙１を収容したときの状態を示す断面図である。
【００２５】
図３から分かるように、本実施の形態の記録紙収容部４００は、装置本体２００側に入り込んでいる。具体的には、入り込みの長さＬは、Ｌ＝８０ｍｍ程度とされている。因みに、従来の心電計のレコーダーでは、入り込みの長さＬは、Ｌ＝３０ｍｍ程度であった。このように、本実施の形態では、入り込みの長さを従来よりも長くすることで、心電計１０全体としての横サイズが従来よりも短くなっている。
【００２６】
記録紙収容部４００の底面には、傾斜部４１０が形成されている。傾斜部４１０は、開閉ケース１１０の回転軸１１１に向かって高くなるように形成されている。これにより、折畳紙１（図４）は、回転軸１１１側の端部に行くに従って高くなる状態で傾斜部４１０に載置される。因みに、傾斜部４１０に載置された折畳紙１の一方の端部は開閉ケース１１０の回転軸１１１上に懸架される。
【００２７】
このように、本実施の形態においては、傾斜部４１０を形成し、折畳紙１の取り出し方向の端部をせり上げるようにしたことにより、装置本体２００への記録紙収容部４００の入り込みを大きくした場合でも、ユーザーが折畳紙１を取り出しやすくなっている。
【００２８】
また、本実施の形態においては、記録紙収容部４００の天板４２０の形状に以下の工夫がなされている。
【００２９】
（ｉ）記録紙収容部４００の入り込み方向の最深部位置の天板４２０には、断面が上に凸の曲面４２１が形成されている。
【００３０】
（ｉｉ）記録紙収容部４００の出口位置の天板４２０には、断面が下に凸の曲面４２２が形成されている。
【００３１】
（ｉｉｉ）少なくとも断面が上に凸の曲面４２１が終わる位置における天板４２０と折畳紙１との距離Ｄ１は、記録紙収容部４００の出口位置における天板４２０と折畳紙１との距離Ｄ２よりも大きくされている。あるいは、記録紙収容部４００が装置本体に入り込んだ部分のうちの中間よりも奥側の少なくとも一部分における天板４２０と折畳紙１との距離を、出口位置における天板４２０と折畳紙１との距離Ｄ２よりも大きくする。
【００３２】
図４の太線は、印字時における折畳紙１の搬送経路を示すものである。図４は開閉ケース１１０が開状態であり、実際には開閉ケース１１０が開状態では折畳紙１は太線のようには搬送しないが、ここでは搬送経路を分かりやすく示すために、印字時つまり開閉ケース１１０が閉状態であるものとして搬送経路を太線で示している。この図から分かるように、折畳紙１は記録紙収容部４００の天板４２０に摺動しながら引き出される。このとき、本実施の形態の構成は、上記（ｉ）のような特徴を有するので、折畳紙１が最深部付近で大きく跳ね上がって天板４２０に当接することによる擦れ音を抑制できる。
【００３３】
これを、図５及び図６を用いて説明する。図５は、実施の形態の構成を採用した場合の折畳紙１の動きを示す図であり、図６は、比較例の構成を採用した場合の折畳紙１の動きを示す図である。
【００３４】
図５に示した本実施の形態の構成を採用すると、矢印の方向に折畳紙１が引っ張られたときに折畳紙１の動きは上に凸の曲面４２１より規制（案内）され、折畳紙１の折り目は、この上に凸の曲面４２１に沿って滑らかに移動していくので、折畳紙１の折り目が天板４２０にぶつかる音や擦れ音が抑制される。これに対して、図６に示した比較例の構成を採用すると、矢印の方向に折畳紙１が引っ張られると、折畳紙１の動きが規制（案内）されない状態で折畳紙１の折り目が一気に跳ね上がり、その結果、大きなぶつかり音や擦れ音が生じる。
【００３５】
また、本実施の形態では、上記（ｉｉｉ）のような特徴を有するので、印字時に折畳紙１が出口方向に引っ張られたときに、記録紙収容部４００の奥の方で折畳紙１が引っ掛かることを防止できる。上記距離Ｄ１は、引っ張り時の折畳紙１の撓みを考慮して決定することが好ましい。
【００３６】
ここで、単純に折畳紙１の上のスペースを大きくすると、確かに折畳紙１の引っ掛かりは解消できるが、無駄なスペースが大きくなる。さらに、スペースを大きくし過ぎると、折畳紙１の動きが全く規制（案内）されず折畳紙１の挙動を制御できないため、折畳紙１がそのスペース内で予測不能に跳ね上がるといった問題も生じ得る。本実施の形態では、これを考慮して、出口位置における天板４２０と折畳紙１との距離Ｄ２は小さくしている。
【００３７】
また、上記（ｉｉｉ）の特徴は、換言すれば、奥側で余裕があるスペースを作り、中間よりも出口側ではスペースを狭くすることで折畳紙１の動きを制御し、奥側での擦れ音を防止しつつ、出口側での跳ね上がりを防止していると言ってもよい。
【００３８】
＜効果＞
以上説明したように、本実施の形態によれば、記録紙収容部４００が、装置本体２００側に入り込んでおり、入り込み方向の最深位置の天板４２０に、断面が上に凸の曲面４２１を形成したことにより、記録紙収容部４００を装置本体２００に深く入り込ませて配置した場合でも、折畳紙１の擦れ音や引っ掛かりを抑制できる。
【００３９】
また、装置本体２００に入り込んだ部分のうちの中間よりも奥側の少なくとも一部分における天板４２０と折畳紙１との距離Ｄ１を、出口位置における天板４２０と折畳紙１との距離よりも大きくしたことにより、奥側が広くなるので、折畳紙１が印字方向に引っ張られたときの、折畳紙１の端部（折り曲げ部）と天板４２０との間の擦れ音を抑制できる。また、折畳紙１の端部（折り曲げ部）が奥側で撓んだときに奥側で折畳紙１が引っ掛かってしまうことを防止できる。また、出口付近が狭くなっているので、印字時の折畳紙１の跳ね上がりを防止できる。
【００４０】
さらに、記録紙収容部４００の奥側から出口に行くほど高くされている傾斜部４１０を設けたことにより、記録紙収容部４００の装置本体２００側への入り込み量を大きくした場合でも、ユーザーが折畳紙１を取り出しやすい。
【００４１】
因みに、本実施の形態の特徴である天板４２０の形状は、傾斜部４１０を設けた場合に、より顕著な効果を発揮する。何故ならば、傾斜部４１０を設けた場合には傾斜部４１０を設けない場合と比較して、印字時に折畳紙１が引っ張られると、折畳紙１が紙面に対してより鋭角に引っ張られるようになる。すると、折畳紙１にかかるストレスが大きくなり、また引っ張られたときの折畳紙１の挙動に対する折り畳まれた紙同士の摩擦や紙の硬さの影響がより大きくなることによって、擦れ音や引っ掛かりも生じやすくなり得るが、本実施の形態の天板４２０の形状を採用すればこれを有効に抑制できる。
【００４２】
＜他の実施の形態＞
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【００４３】
上述の実施の形態では、入り込み方向の最深位置の天板に、断面が上に凸の曲面４２１を形成した場合について述べたが、曲面４２１に代えて、図５の一点鎖線で示したように、出口方向に傾斜した傾斜面４２３を形成してもよい。傾斜面は、１つの傾斜面でもよいが複数の傾斜面を連続させた方が折畳紙１をより滑らかに摺動させることができるので、より好ましい。また、曲面と傾斜面を組み合わせてもよい。
【００４４】
上述の実施の形態では、本発明を心電計に適用した場合について述べたが、これに限らず、折畳紙に生体情報を印字するレコーダーを有する医療用測定装置に広く適用可能である。例えば、レコーダーを有する脳波計、脈波計、ポリグラフ、生体情報モニター等にも適用可能である。
【産業上の利用可能性】
【００４５】
本発明は、折畳紙に生体情報を印字するレコーダーを有する医療用測定装置に適用し得る。
【符号の説明】
【００４６】
１０  心電計
１００  レコーダー
１０１  開ボタン
１０２  排紙口
１１０  開閉ケース
１１１  回転軸
１２０  サーマルヘッド
１３０  プラテンローラー
２００  装置本体
３００  ロール紙取付部
４００  記録紙収容部
４１０  傾斜部
４２０  天板
４２１、４２２  曲面
４２３  傾斜面
【図１】
2020075464.tif 000003
【図２】
2020075464.tif 000004
【図３】
2020075464.tif 000005
【図４】
2020075464.tif 000006
【図５】
2020075464.tif 000007
【図６】
2020075464.tif 000008